(57)【要約】【課題】投射レンズの防塵効果を保ちつつ、投射レンズを冷却することができる。【解決手段】光源１１の光を用いて画像データに基づきＤＭＤ２１等の画像生成素子で生成した投射画像の光を少なくとも１つの投射レンズ４２を介して投射面１０１に投射するプロジェクタ１等の画像投射装置において、投射レンズを保持する鏡筒４１等の筐体における投射画像光の入射する入射側部分と、該筐体における投射画像光の出射する出射側部分との間の該筐体の外周部分を露出させた状態で、筐体の入射側部分と出射側部分とは、それぞれ、投射画像光を透過可能に密閉され、かつ、画像投射装置内に取り込んだ外気を筐体の露出状態の外周部分に流す。【選択図】図２
2017223844.tif 000002
【特許請求の範囲】
【請求項１】
光源の光を用いて画像データに基づき画像生成素子で生成した投射画像の光を少なくとも１つの投射レンズを介して投射面に投射する画像投射装置において、
前記投射レンズを保持する長筒状の筐体における投射画像光の入射する入射側部分と、該筐体における投射画像光の出射する出射側部分との間の該筐体の外周部分を露出させた状態で、前記筐体の入射側部分と出射側部分とは、それぞれ、投射画像光を透過可能に密閉され、画像投射装置内に取り込んだ外気を前記筐体の露出状態の外周部分に流すことを特徴とする画像投射装置。
【請求項２】
請求項１記載の画像投射装置において、
前記光源の光を前記画像生成素子に導く照明光学部を備え、該照明光学部は、前記照明光学部を構成する筐体内に前記筐体の入射側部分を入れた状態で密閉されていることを特徴とする画像投射装置。
【請求項３】
請求項２記載の画像投射装置において、
前記投射レンズを有する投射光学部を備え、該投射光学部と前記照明光学部との間の放熱手段として、熱伝導シート又は熱伝導グリスを用いることを特徴とする画像投射装置。
【請求項４】
請求項２又は３に記載の画像投射装置において、
外気を取り込む吸気口と、画像投射装置本体内の空気を排気する排気口とを画像投射装置本体の筐体の一部に設け、
前記吸気口から前記排気口へ向かって流れる空気の流路は、前記照明光学部を通過するよう形成されることを特徴とする画像投射装置。
【請求項５】
請求項３又は４に記載の画像投射装置において、
前記吸気口から前記排気口へ向かって流れる空気の流路は、前記投射光学部を通過するよう形成されることを特徴とする画像投射装置。
【請求項６】
請求項２乃至５のいずれか１項に記載の画像投射装置において、
前記照明光学部を構成する筐体は、アルミ又はアルミを含む材料で形成されていることを特徴とする画像投射装置。
【請求項７】
請求項２乃至５のいずれか１項に記載の画像投射装置において、
前記照明光学部を構成する筐体は、銅又は銅を含む材料で形成されていることを特徴とする画像投射装置。
【請求項８】
請求項１乃至７のいずれか１項に記載の画像投射装置において、
前記投射レンズを保持する筐体の一部又は全部は、アルミ又はアルミを含む材料で形成されていることを特徴とする画像投射装置。
【発明の詳細な説明】
【技術分野】
【０００１】
本発明は、画像投射装置に関するものである。
【背景技術】
【０００２】
従来、光源の光を用いて画像データに基づき画像生成素子で生成された投射画像を投射レンズによって投射面に投射する画像投射装置が知られている。
【０００３】
例えば、特許文献１には、係る画像投射装置であって、複数の投射レンズを保持する筐体たる鏡筒を構成する一部材としての鏡筒カバーにヒートシンクを設けた画像投射装置が開示されている。その画像投射装置では、投射レンズは光源の光が透過するので高温になり、投射レンズが厚み方向に熱膨張して投射画像の焦点がずれる。そのため、画像投射装置内に外気を取り込んで、その外気を画像投射装置内でヒートシンクに向けて流して鏡筒を冷却することで、その鏡筒に保持された投射レンズを冷却している。
【発明の概要】
【発明が解決しようとする課題】
【０００４】
上記特許文献１に開示の画像投射装置によれば、外気に含まれている塵や埃が、投射画像光の入射する鏡筒の入射側部分と投射画像光の出射する鏡筒の出射側部分とに設けられた投射レンズに付着しまう。その結果、その投射レンズに付着した塵や埃によって、投射面側へ向かう投射画像の光が遮蔽され、投射面上の投射画像に画像の欠落部分が生じる。防塵のために鏡筒全体を囲むと、ヒートシンクに外気を流せられないので、ヒートシンクを用いた冷却システムを用いることができず、投射レンズを十分に冷却することができないという問題があった。
【課題を解決するための手段】
【０００５】
上述した課題を解決するために、本発明は、光源の光を用いて画像データに基づき画像生成素子で生成した投射画像の光を少なくとも１つの投射レンズを介して投射面に投射する画像投射装置において、前記投射レンズを保持する筐体における投射画像光の入射する入射側部分と、該筐体における投射画像光の出射する出射側部分との間の該筐体の外周部分を露出させた状態で、前記筐体の入射側部分と出射側部分とは、それぞれ、投射画像光を透過可能に密閉され、かつ、画像投射装置内に取り込んだ外気を前記筐体の露出状態の外周部分に流すことを特徴とするものである。
【発明の効果】
【０００６】
本発明によれば、投射レンズの防塵効果を保ちつつ、投射レンズを良好に冷却することができるという特有の効果が得られる。
【図面の簡単な説明】
【０００７】
【図１】本実施形態に係るプロジェクタと投射面とを示す斜視図。
【図２】本実施形態に係るプロジェクタを説明する模式図。
【図３】光源ユニットと投射画像生成ユニットと投射光学ユニットとを示す斜視図。
【図４】図３の外観斜視図。
【図５】本実施形態のプロジェクタの一部の分解斜視図。
【図６】図５の部分拡大図。
【図７】図６の側面図。
【図８】鏡筒を熱伝導シートともに放熱カバーに取り付けたときの側面図。
【図９】本実施形態のプロジェクタ内の空気の流れを説明する模式図。
【図１０】図９の矢印Ａからみた模式図。
【図１１】本実施形態のプロジェクタ内の空気の流れを説明する分解斜視図。
【発明を実施するための形態】
【０００８】
以下、本発明が適用される画像投射装置としてのプロジェクタの実施形態について説明する。
図１は、本実施形態に係るプロジェクタ１とスクリーンなどの投射面１０１とを示す斜視図である。なお、以下の説明では、投射面１０１の法線方向をＸ方向、投射面の短軸方向（上下方向）をＹ方向、投射面１０１の長軸方向（水平方向）をＺ方向とする。
【０００９】
図１に示すように、プロジェクタ１の上面には、投射画像Ｐが出射する透過ガラス６１が設けられており、透過ガラス６１から出射した投射画像Ｐが、スクリーンなどの投射面１０１に投射される。また、プロジェクタ１の上面には、ユーザがプロジェクタ１を操作するための操作部６２が設けられている。また、プロジェクタ１の側面には、ピント調整のためのフォーカスレバー６３が設けられている。
【００１０】
図２は、本実施形態に係るプロジェクタを説明する模式図である。
図２に示すように、プロジェクタは、ハロゲンランプ、メタルハライドランプ、高圧水銀ランプなどの光源１１を備えた光源ユニット１０と、光源１１からの光を用いて微小駆動ミラー装置であるＤＭＤ（Digital Micro-mirror Device）２１によって投射画像を生成する投射画像生成部たる投射画像生成ユニット２０と、光源１１からの光をＤＭＤ２１に導く照明光学部たる照明光学ユニット３０と、投射画像を出射する投射光学部たる投射光学ユニット４０とを有している。照明光学ユニット３０は、カラーホイール３１、ライトトンネル３２、２枚のリレーレンズ３３、平面ミラー３４、凹面ミラー３５を有している。
【００１１】
そして、光源１１からの光は、図２の矢印で示すように、回転するカラーホイール３１を通ることにより時分割でＲ、Ｇ、Ｂの光に分離される。このカラーホイール３１は、円盤形状のものであり、モータ３１ａのモータ軸に固定され、回転方向にＲ（レッド）、Ｇ（グリーン）、Ｂ（ブルー）などのフィルターが設けられている。カラーホイール３１により分離された光は、ライトトンネル３２へ入射する。
【００１２】
ライトトンネル３２は、四角筒形状であり、その内周面が鏡面となっている。ライトトンネル３２に入射した光は、ライトトンネル３２の内周の鏡面で複数回反射しながら、均一な面光源にされて２枚のリレーレンズ３３へ向けて出射する。２枚のリレーレンズ３３を透過し、次段の平面ミラー３４、凹面ミラー３５により反射され、ＤＭＤ２１の画像生成面上に集光して結像される。
【００１３】
ここで、ＤＭＤ２１の画像生成面には、可動式の複数のマイクロミラーが格子状に配列されている。各マイクロミラーは、鏡面をねじれ軸周りに所定角度傾斜させることができ、「ＯＮ」と「ＯＦＦ」の２つの状態を持たせることができる。マイクロミラーが「ＯＮ」のときは、光源ユニット１０の光源１１からの光を投射光学ユニット４０の投射レンズ４２に向けて反射する。「ＯＦＦ」のときは、照明ブラケットなどの側面に保持されたＯＦＦ光板）に向けて光源１１からの光を反射する。従って、各ミラーを個別に駆動することにより、画像データの画素ごとに光の投射を制御することができ、画像を生成することができる。
【００１４】
なお、ＯＦＦ光板に向けて反射された光は、熱となって吸収され外側の空気の流れで冷却される。また、２枚のリレーレンズ３３は、板バネ状のレンズ押さえ部材により両端がレンズブラケットの突き当て面に押し付けられることにより、位置決め保持されている。
【００１５】
図２に示すプロジェクタ１は、パソコンやビデオカメラ等から入力される映像データを基に映像を生成し、その映像をスクリーン等の投射面に投射表示する。プロジェクタ１として広く知られた液晶プロジェクタは、近来、液晶パネルの高解像化、光源ランプの高効率化に伴う明るさの改善、低価格化などが進んでいる。また、画像生成素子であるＤＭＤ２１を利用した小型で、軽量なプロジェクタ１が普及し、オフィスや学校のみならず家庭においても広く利用されるようになってきている。
【００１６】
光源１１からの光が、照明光学ユニット３０内で、照射された白色光をカラーホイール３１によってＲＧＢに分光されて、投射画像生成ユニット２０のＤＭＤ２１へ導かれる。そのＤＭＤ２１では、変調信号に応じて投射画像を生成する。そして、ＤＭＤ２１によって生成された投射画像は投射レンズ４２に入射される。その入射された投射画像は、鏡筒４１の出射側部分に設けられた投射レンズ４２から出射し、折り返しミラー４３及び凹面状の曲面ミラー４４によって拡大され、投射面へ投射される。
【００１７】
図３は、光源ユニットと投射画像生成ユニットと投射光学ユニットとを示す斜視図である。図４は、図３の外観斜視図である。
図３に示すように、投射光学ユニット４０は、投射レンズ保持部たる鏡筒４１に保持される投射レンズと、折り返しミラー４３と、凹面状の曲面ミラー４４とを備えている。曲面ミラー４４の光を反射する面は、球面、回転対称非球面、自由曲面形状などにすることができる。図４に示すように、投射光学ユニット４０は、曲面ミラー４４から反射した光像を透過するとともに、装置内の光学系部品を防塵するための防塵ガラス４５も備えている。
【００１８】
さらに、図４に示すように、投射光学ユニット４０は、折り返しミラー４３と防塵ガラス４５とを保持するミラーブラケット４６と、曲面ミラー４４を保持する自由ミラーブラケット４７と、ミラーブラケット４６および自由ミラーブラケット４７が取り付けられるミラーホルダー４８とを有している。
【００１９】
ミラーブラケット４６は、ミラーホルダー４８の上部に取り付けられる。ミラーブラケット４６は、ミラーホルダー４８の上部開口縁部の傾斜部と当接する図中Ｘ方向手前側端部からＸ方向奥側へ行くにつれて、上昇するように傾斜した傾斜面を有している。また、ミラーホルダー４８の上部開口部縁部の平行部と当接するＸ方向に平行な平行面を有している。傾斜面と平行面とは、それぞれ開口部を有しており、傾斜面の開口部を塞ぐように、折り返しミラー４３が保持されており、平行面の開口部を塞ぐように防塵ガラス４５が保持されている。
【００２０】
ミラーホルダー４８は、箱型の形状をしており、上面、下面および図３中Ｘ方向奥側が開口しており、上から見たとき、略コの字状の形状をしている。ミラーホルダー４８の上部開口のＺ方向手前側と奥側とのそれぞれでＸ方向に延びる縁部は、傾斜部と、平行部で構成されている。傾斜部は、図４中Ｘ方向手前側端部からＸ方向奥側へ行くにつれて、上昇するように傾斜している。平行部は図３中Ｘ方向と平行である。また、傾斜部が、平行部より図３中Ｘ方向手前側にある。また、ミラーホルダー４８の上部開口の図中Ｘ方向手前側のＺ方向に延びる縁部は、図４中Ｚ方向と平行になっている。
【００２１】
折り返しミラー４３は、板バネ状のミラー押さえ部材により両端が、ミラーブラケット４６の傾斜面に押し付けられることにより、ミラーブラケット４６５の傾斜面に位置決め保持されている。折り返しミラー４３の端部には、３個のミラー押さえ部材により固定されている。
【００２２】
防塵ガラス４５は、３つの板バネ状のガラス押さえ部材４９によりミラーブラケット４６の平行面に押し付けられることにより、ミラーブラケット４６に位置決め固定されている。
【００２３】
曲面ミラー４４を保持する自由ミラーブラケット４７は、図３中Ｘ方向奥側から手前側へ向けて下降するように傾斜した腕部をＺ軸方向手前側と奥側とに有している。また、自由ミラーブラケット４７は、腕部の上部でこれら二つの腕部を連結する連結部を有している。自由ミラーブラケット４７は、ミラーホルダー４８の図３中Ｘ方向奥側の開口を曲面ミラー４４が覆うように、腕部がミラーホルダー４８に取り付けられている。
【００２４】
曲面ミラー４４の上端が、防塵ガラス４５の側端部の略中央部が、板バネ状の自由ミラー押さえ部材により自由ミラーブラケット４７の連結部に押し付けられている。また、曲面ミラー４４の図３中Ｚ軸方向両端が、ネジにより自由ミラーブラケット４７の腕部に固定されている。
【００２５】
次に、本発明の特徴部について説明する。
投射光学ユニットの投射レンズは、光源から射出された光の大半を透過するために高温になり、投射レンズ自身や鏡筒が熱膨張して投射画像の焦点ズレが生じるおそれがあった。さらに、投射レンズが張り合わせレンズであると、その張り合わせレンズの熱膨張の差のために剥離したり、破損したりする場合もあった。これらの場合、鏡筒を熱伝導性の高い素材、例えばアルミに変更し、その鏡筒に空気をあてて冷却できる。しかし、超短焦点のプロジェクタでは、投射レンズを通過した光を更に拡大する曲面ミラー等を備えた光拡大装置が必要で、しかも防塵のため、投射レンズを保持する鏡筒や光拡大装置を収納する筐体は密閉する構造となっている。そのため、鏡筒に空気を流して冷却することができなかった。
【００２６】
本実施形態のプロジェクタでは、投射画像光の入射する鏡筒の入射側部分と投射画像光の出射する鏡筒の出射側部分とは、投射画像光を透過可能に密閉されている。それにより、鏡筒の入射側部分と出射側部分とに設けられている投射レンズに塵や埃が付着するのを抑制できる。しかも、鏡筒の入射側部分と出射側部分との間は露出されており、その露出された鏡筒の部分に外気を流すことで、鏡筒の熱を放熱することができる。それにより、鏡筒に保持される投射レンズの温度上昇を抑制できる。
【００２７】
さらに、鏡筒の入射側部分をヒートシンク形状（放熱形状）で構成されている照明光学ユニットを構成する部材に接触させている。それにより、鏡筒の熱を照明光学ユニットの部材に伝え、その部材からも放熱することができる。よって、防塵対策を維持しつつ、鏡筒や投射レンズの熱膨張を軽減して投射画像の焦点ズレを抑制し、かつ、張り合わせレンズ同士の熱膨張率の差による剥離、破損を抑制することで、より高輝度化が実現できる。以下に、詳しく説明する。
【００２８】
図５は、本実施形態のプロジェクタの一部の分解斜視図である。図６は、図５の部分拡大図である。図７は、図６の側面図である。図８は、鏡筒を熱伝導シートともに放熱カバーに取り付けたときの側面図である。
【００２９】
図５に示すように、鏡筒４１は、投射レンズ固定金具５０に固定されている。照明光学ユニット３０の上部には、放熱フィン５１ａを有する放熱カバー５１が設けられている。その放熱カバー５１には、リング形状の熱伝導シート５２を装填する溝部５１ｂと、鏡筒４１の一部が照明光学ユニット３０を構成する筐体内へ入るための開口部５１ｃとが形成されている。なお、熱伝導シート５２に代えて熱伝導性の高い粒子を混ぜ込んだ熱伝導グリスを使用してもよい。
【００３０】
そして、図５、図６及び図７に示すように、鏡筒４１の入射側部分は、溝部５１ｂに設置された熱伝導シート５２の内側を通り、照明光学ユニット３０の上面に取り付けられた放熱カバー５１に開けた開口部５１ｃを通って照明光学ユニット３０内部へ入り込んでいる。その状態で、投射レンズ固定金具５０のネジ用貫通孔を照明光学ユニット３０の筐体の上面に設けられたネジ部に合わせて投射レンズ固定金具５０をネジで固定する。投射画像光の入射する鏡筒の入射側部分は、密閉構造の照明光学ユニット内部に入り込み、投射画像光の出射する鏡筒の出射側部分も投射光学ユニットを構成する筐体で囲まれる。それにより、鏡筒の入射側部分と出射側部分に設けられる投射レンズに塵や埃が付着するのを抑制できる。
【００３１】
さらに、照明光学ユニット３０の上面に設けられたネジ部が所定の高さを有することで、投射レンズ固定金具５０と放熱カバー５１との間に隙間が形成される。投射レンズ固定金具５０を放熱カバー５１に取り付けると、図８に示すように、当該隙間において露出状態である鏡筒４１と一体形成されたアルミ等の放熱部４１ａは熱伝導シート５２に接触するとともに、放熱カバー５１も熱伝導シート５２に接触する。それにより、投射レンズの熱によってあたためられた鏡筒４１の熱は、熱伝導シート５２を経由して放熱カバー５１に伝わる。その伝わった熱は、放熱カバー５１に形成された放熱フィンによって周囲に放出される。
以上により、投射レンズの防塵効果を保ちつつ、投射レンズを冷却することができる
【００３２】
図９は、本実施形態のプロジェクタ内の空気の流れを説明する模式図である。図１０は、図９の矢印Ａからみた模式図である。図１１は、本実施形態のプロジェクタ内の空気の流れを説明する分解斜視図である。
図９及び図１０に示すように、プロジェクタの筐体には、吸気口５３が設けられ、かつ、その吸気口５３の設置箇所とは反対側のプロジェクタの筐体に排気口５４が設けられている。さらに、その排気口５４には、排気ファン５５が設けられている。
【００３３】
そして、排気ファン５５を回転させると、周辺の空気が吸気口５３から取り込まれ、プロジェクタ１の内部に流入する。図９及び図１１の矢印で示すように、吸気口５３から取り込んだ空気は、照明光学ユニット３０と投射光学ユニット４０との間の隙間を通り、そのとき放熱カバー５１と鏡筒４１の放熱部４１ａから熱を奪い、その熱を持った空気は通気口５６を抜けて排気口から排出する。それにより、放熱カバー５１と鏡筒４１との冷却効率をさらに高めている。なお、吸気口５３から取り込んだ空気を鏡筒４１の放熱部４１ａに流す空気流路を形成して鏡筒４１を冷却することで、鏡筒４１の冷却効果をより一層高めることができる。
【００３４】
なお、照明光学ユニットを構成する部材は、熱伝導率が高いアルミ又はアルミを含む材料、あるいは銅又は銅を含む材料で形成されている。それにより、鏡筒の熱の放熱効率を高めることができる。さらには、鏡筒を構成する部材の一部又は全部も、アルミ又はアルミを含む材料で形成されている。それにより、鏡筒に保持される投射レンズの熱の放熱効率を高めることができる。
【００３５】
以上に説明したものは一例であり、次の態様毎に特有の効果を奏する。
（態様Ａ）
光源１１の光を用いて画像データに基づきＤＭＤ２１等の画像生成素子で生成した投射画像の光を少なくとも１つの投射レンズ４２を介して投射面１０１に投射するプロジェクタ１等の画像投射装置において、前記投射レンズを保持する鏡筒４１等の筐体における投射画像光の入射する入射側部分と、該筐体における投射画像光の出射する出射側部分との間の該筐体の外周部分を露出させた状態で、前記筐体の入射側部分と出射側部分とは、それぞれ、投射画像光を透過可能に密閉され、かつ、画像投射装置内に取り込んだ外気を前記筐体の露出状態の外周部分に流すことを特徴とするものである。
本態様によれば、筐体の入射側部分と出射側部分とは、筐体の露出状態の外周部分から離れて存在している。そのため、筐体の露出状態の外周部分に、画像投射装置内に取り込んだ外気を流すとその外気に含まれた塵や埃の大部分は外周部分に付着するものの、塵や埃が筐体の入射側や出射側に移動して入射側と出射側との投射レンズに付着するのは難しい。さらに、筐体の入射側部分と出射側部分とは密閉されており、塵や埃が投射レンズに直接付着するのを抑制している。しかも、筐体の入射側部分と出射側部分との間の外周部分は露出しているので、その露出部分に外気を流せられ、投射レンズを保持する筐体の熱を放熱することができ、筐体に保持される投射レンズの冷却を促進させることができる。以上により、投射レンズの防塵を保ちつつ、投射レンズを冷却することができる。
【００３６】
（態様Ｂ）
（態様Ａ）において、前記光源の光を前記画像生成素子に導く照明光学部を備え、該照明光学部は、前記照明光学部を構成する筐体内に前記筐体の入射側部分を入れた状態で密閉されていることを特徴とするものである。
かかる構成により、投射レンズを保持する筐体の入射側部分は照明光学部の筐体内に入ることで密閉され、防塵効果を保つことでき、かつ、投射レンズを保持する筐体の入射側部分の熱を照明光学部からも放熱できる。
【００３７】
（態様Ｃ）
（態様Ｂ）において、前記投射レンズを有する投射光学部を備え、該投射光学部と前記照明光学部との間の放熱手段として、熱伝導シート又は熱伝導グリスを用いることを特徴とするものである。
かかる構成により、投射光学部の熱が熱伝導シート又は熱伝導グリスを用いた放熱手段から放熱され、放熱効果が高まる。
【００３８】
（態様Ｄ）
（態様Ｂ）又は（態様Ｃ）において、外気を取り込む吸気口５３と、画像投射装置本体内の空気を排気する排気口５４とを画像投射装置本体の筐体の一部に設け、前記吸気口から前記排気口へ向かって流れる空気の流路は、前記照明光学部を通過するよう形成されることを特徴とするものである。
かかる構成によれば、吸気口から取り込んだ空気は、照明光学部を通り、投射光学部の熱の伝わった照明光学部から熱を奪い、その熱をもった空気は排気口から排出される。それにより、照明光学部の冷却効率を高めている。
【００３９】
（態様Ｅ）
（態様Ｃ）又は（態様Ｄ）において、前記吸気口から前記排気口へ向かって流れる空気の流路は、前記投射光学部を通過するよう形成されることを特徴とするものである。
かかる構成により、吸気口から取り込んだ空気は、投射光学部に触れて投射光学部から熱を奪い、その熱をもった空気は排気口から排出される。それにより、投射光学部の冷却効率を高めている。
【００４０】
（態様Ｆ）
（態様Ｂ）乃至（態様Ｅ）のいずれかにおいて、前記照明光学部を構成する筐体は、アルミ又はアルミを含む材料で形成されていることを特徴とするものである。
本態様によれば、熱伝導率が高いアルミ又はアルミを含む材料で照明光学部の筐体を形成することで、照明光学部の放熱効率を高めている。
【００４１】
（態様Ｇ）
（態様Ｂ）乃至（態様Ｅ）のいずれかにおいて、前記照明光学部を構成する筐体は、銅又は銅を含む材料で形成されていることを特徴とするものである。
本態様によれば、熱伝導率が高い銅又は銅を含む材料で照明光学部の筐体を形成することで、照明光学部の放熱効率を高めている。
【００４２】
（態様Ｈ）
（態様Ａ）乃至（態様Ｇ）のいずれかにおいて、前記投射レンズを保持する部分の一部又は全部は、アルミ又はアルミを含む材料で形成されていることを特徴とするものである。
本態様によれば、熱伝導率がアルミ又はアルミを含む材料で投射レンズを保持する部材の一部又は全部を形成することで、投射レンズを保持する部材の放熱効率を高め、投射レンズを良好に冷却することができる。
【符号の説明】
【００４３】
１  プロジェクタ
１０  光源ユニット
１１  光源
２０  投射画像生成ユニット
２１  ＤＭＤ
３０  照明光学ユニット
３１  カラーホイール
３１ａ  モータ
３２  ライトトンネル
３３  リレーレンズ
３４  平面ミラー
３５  凹面ミラー
４０  投射光学ユニット
４１  鏡筒
４２  投射レンズ
４３  折り返しミラー
４４  曲面ミラー
４５  防塵ガラス
４６  ミラーブラケット
４７  自由ミラーブラケット
４８  ミラーホルダー
４９  ガラス押さえ部材
５０  投射レンズ固定金具
５１  放熱カバー
５１ａ  放熱フィン
５１ｂ  溝部
５１ｃ  開口部
５２  熱伝導シート
５３  吸気口
５４  排気口
５５  排気ファン
５６  通気口
６１  透過ガラス
６２  操作部
６３  フォーカスレバー
１０１  投射面
【先行技術文献】
【特許文献】
【００４４】
【特許文献１】特許第４９８６０１９号公報
【図１】
2017223844.tif 000003
【図２】
2017223844.tif 000004
【図３】
2017223844.tif 000005
【図４】
2017223844.tif 000006
【図５】
2017223844.tif 000007
【図６】
2017223844.tif 000008
【図７】
2017223844.tif 000009
【図８】
2017223844.tif 000010
【図９】
2017223844.tif 000011
【図１０】
2017223844.tif 000012
【図１１】
2017223844.tif 000013